(57)【要約】【課題】利用者が操作しなくても、開閉装置の動作を自動的に指示できる快適なリモコンシステムが求められている。【解決手段】本発明のリモコンシステムは、１又は複数の開閉装置と、各開閉体の動作を指示する動作指示情報を含む無線信号を送信する遠隔指示器と、遠隔指示器から送信された、動作指示情報を含む無線信号を受信し、動作指示情報に対応する動作制御を各開閉装置に対して行なう遠隔被指示器とを備えるリモコンシステムにおいて、遠隔指示器は、遠隔指示器の位置を検出する位置検出手段と、遠隔指示器と各開閉体との位置関係に基づく所定のタイミングで、少なくとも動作指示情報を含む無線信号を自動送信する自動送信制御手段とを有することを特徴とする。【選択図】  図１
2007255019.tif 000002
【特許請求の範囲】
【請求項１】
１又は複数の開閉装置と、
上記各開閉装置の動作を指示する動作指示情報を含む無線信号を送信する遠隔指示器と、
上記遠隔指示器から送信された、上記動作指示情報を含む無線信号を受信し、上記動作指示情報に対応する動作制御を上記各開閉装置に対して行なう遠隔被指示器と
を備えるリモコンシステムにおいて、
上記遠隔指示器は、
当該遠隔指示器の位置を検出する位置検出手段と、
当該遠隔指示器と上記各開閉装置との位置関係に基づく所定のタイミングで、少なくとも上記動作指示情報を含む無線信号を自動送信する自動送信制御手段と
を有する
ことを特徴とするリモコンシステム。
【請求項２】
上記遠隔指示器の自動送信制御手段が当該遠隔指示器の位置情報も含む無線信号を自動送信し、
上記遠隔被指示器が、上記無線信号に含まれている上記遠隔指示器の位置情報に基づいて、上記遠隔指示器と上記各開閉装置との位置関係に基づいて、上記各開閉装置のうち動作制御対象とする上記開閉装置を決定して動作制御を行なうことを特徴とする請求項１に記載のリモコンシステム。
【請求項３】
上記遠隔指示器の自動送信制御手段が送信する無線信号は、当該遠隔指示器を識別するための識別コードが含まれ、上記識別コードは上記各開閉装置の位置を基準とした方角エリアにより区分された情報であることを特徴とする請求項１に記載のリモコンシステム。
【請求項４】
１又は複数の開閉装置の動作を指示する動作指示情報を含む無線信号を送信する遠隔指示器において、
当該遠隔指示器の位置を検出する位置検出手段と、
当該遠隔指示器と上記各開閉装置との位置関係に基づく所定の送信タイミングで、少なくとも上記動作指示情報を含む無線信号を自動送信する自動送信制御手段と
を備えることを特徴とする遠隔指示器。
【請求項５】
上記自動送信制御手段は、当該遠隔指示器と上記開閉装置との位置関係が所定距離内であるときのみ、上記開閉装置に対する開動作指示情報を含む無線信号を自動送信することを特徴とする請求項４に記載の遠隔指示器。
【請求項６】
上記自動送信制御手段は、上記開動作指示情報を含む無線信号の送信後、当該遠隔指示器の位置と上記開閉装置の位置関係が所定距離を越えたときのみ、上記開閉装置に対する閉動作指示情報を含む無線信号を自動送信することを特徴とする請求項５に記載の遠隔指示器。
【請求項７】
上記自動送信制御手段が送信する無線信号は、当該遠隔指示器を識別するための識別コードが含まれ、上記識別コードは上記各開閉装置の位置を基準とした方角エリアにより区分された情報であることを特徴とする請求項４〜６のいずれかに記載の遠隔指示器。
【請求項８】
遠隔指示器が送信した、少なくとも開閉装置の動作を指示する動作指示情報を含む無線信号を受信し、上記動作指示情報に対応する動作制御を１又は複数の開閉装置に対して行なう遠隔被指示器において、
上記遠隔指示器と上記各開閉装置との位置関係に基づいて、上記各開閉装置のうち動作制御対象とする上記開閉装置を決定して動作制御を行なう動作制御手段を備えることを特徴とする遠隔被指示器。
【発明の詳細な説明】
【技術分野】
【０００１】
本発明は、リモコンシステム、遠隔指示器及び遠隔被指示器に関し、例えば、シャッター、ドア、窓、オーバーヘッドドア、門扉、ゲート（例えば駐車場等のゲート）、ロールスクリーン（例えば遮光幕等）、ブラインド、オーニング等及びその他の開閉装置のリモコンシステムに適用し得るものである。
【背景技術】
【０００２】
開閉装置の開閉制御（開閉装置に具備された開閉体を、開動作させる制御、閉動作させる制御、停止させる制御を含む。なお、施錠、解錠機能を有する開閉装置であれば、開閉制御に加え、又は、開閉制御に代え、施錠、解錠制御も開閉制御の用語に含むものとする）を、リモコン操作器を用いて遠隔指示できるようにした建物開口部用開閉装置が多く提案されている（特許文献１参照）。
【０００３】
例えば、ガレージ用シャッターにおいては、ユーザが車両から降りることなくシャッターの開閉を実行できることが便利であり、リモコンシステムが適用されることも多い。
【０００４】
このようなシャッター用のリモコンシステムでは、シャッター近傍の壁面や、シャッターのシャッターカーテンを収納する収納ボックスの前面又は下面に、アンテナが取り付けられ、リモコン操作器からの電波を捕捉する。
【０００５】
リモコン被操作器においては、アンテナが捕捉して変換した電気信号（例えば、ＡＳＫ変調信号やＦＳＫ変調信号など）が受信部によって復調され、リモコン操作器が送信した原送信信号（復調信号）が受信制御部に与えられる。そして、受信制御部によって、復調信号が解読されて、シャッターの開、閉又は停止を指示する開閉制御信号が形成されてシャッター制御部に与えられる。これにより、リモコン操作者が意図したシャッターの動作（開、閉又は停止など）が実行される。
【０００６】
【特許文献１】特開２００１−０１２１７６号公報
【発明の開示】
【発明が解決しようとする課題】
【０００７】
従来のリモコンシステムにおいて、例えば、シャッターの開閉制御を行なうには、リモコン操作者によるリモコン操作器の操作が前提とされている。しかし、リモコン操作をしなくても、車両とシャッターとの位置関係より、自動的にシャッターを開閉制御できるシステムが望まれている。これにより、より快適なシステム環境を利用者に提供することができる。
【０００８】
従来のリモコンシステムを用いて自動的な開閉制御を実現しようとすると、リモコン操作器からの電波放射の開始タイミングがとれないので、全ての利用時間においてリモコン操作器が電波放射している必要がある。しかし、これはリモコン操作器を無駄に動作させることになる。
【０００９】
上述したような種々の課題は、シャッター用だけでなく、ドア、窓、オーバーヘッドドアなどその他の開閉装置のリモコンシステムにも同様に生じている。
【００１０】
そこで、本発明は、上記の課題を考慮してなされたものであり、操作者がリモコン操作をすることなく、自動的に開閉装置の開閉制御を行なえることができるリモコンシステム、遠隔指示器及び遠隔被指示器を提供しようとするものである。
【課題を解決するための手段】
【００１１】
かかる課題を解決するため、第１の本発明のリモコンシステムは、（１）１又は複数の開閉装置と、（２）各開閉体の動作を指示する動作指示情報を含む無線信号を送信する遠隔指示器と、（３）遠隔指示器から送信された、動作指示情報を含む無線信号を受信し、動作指示情報に対応する動作制御を各開閉装置に対して行なう遠隔被指示器とを備えるリモコンシステムにおいて、遠隔指示器は、（２−１）遠隔指示器の位置を検出する位置検出手段と、（２−２）遠隔指示器と各開閉装置との位置関係に基づく所定のタイミングで、少なくとも動作指示情報を含む無線信号を自動送信する自動送信制御手段とを有することを特徴とする。
【００１２】
第２の本発明の遠隔指示器は、１又は複数の開閉装置の動作を指示する動作指示情報を含む無線信号を送信する遠隔指示器において、（１）遠隔指示器の位置を検出する位置検出手段と、（２）遠隔指示器と各開閉装置との位置関係に基づく所定の送信タイミングで、少なくとも動作指示情報を含む無線信号を自動送信する自動送信制御手段とを備えることを特徴とする。
【００１３】
第３の本発明の遠隔被指示器は、遠隔指示器が送信した、少なくとも開閉装置の動作を指示する動作指示情報を含む無線信号を受信し、動作指示情報に対応する動作制御を１又は複数の開閉装置に対して行なう遠隔被指示器において、遠隔指示器と各開閉装置との位置関係に基づいて、各開閉装置のうち動作制御対象とする開閉装置を決定して動作制御を行なう動作制御手段を備えることを特徴とする。
【発明の効果】
【００１４】
本発明のリモコンシステム、遠隔指示器及び遠隔被指示器によれば、操作者がリモコン操作をすることなく、自動的に開閉装置の開閉制御を行なえることができる。
【発明を実施するための最良の形態】
【００１５】
（Ａ）第１の実施形態
以下、本発明のリモコンシステム、遠隔指示器及び遠隔被指示器の第１の実施形態を、図面を参照して説明する。
【００１６】
本実施形態では、本発明のリモコンシステム、遠隔指示器及び遠隔被指示器を用いて、シャッター用のリモコンシステムを実現する場合を説明する。
【００１７】
（Ａ−１）第１の実施形態の構成
図１は、第１の実施形態のリモコンシステムの全体構成を示すブロック図である。図１において、第１の実施形態のリモコンシステム１は、遠隔指示器１０と遠隔被指示器２０とを有して構成される。
【００１８】
遠隔指示器１０は、利用者側に設けられるリモコン送信機に相当し、遠隔被指示器２０は、シャッター近傍に設けられるリモコン受信機に相当する。
【００１９】
遠隔指示器１０は、ＧＰＳ（Global  Positioning  System）機能を有し、取得したＧＰＳ情報に基づいてシャッターに対する開閉動作を無線で指示するものである。
【００２０】
遠隔指示器１０は、例えば、既に利用者車両内等に設置されているＧＰＳ受信装置と連携させて動作するユニットとしてもよいし、また新たにＧＰＳ機能を有するユニットとしてもよい。本実施形態では、説明便宜のために、ＧＰＳ機能を有し、利用者車両に搭載するユニットを遠隔指示器１０として説明する。
【００２１】
遠隔被指示器２０は、受信電波の復調信号に基づいて、シャッター駆動部３０に対して開信号、閉信号等の開閉制御信号を与えるものである。
【００２２】
遠隔被指示器２０は、例えば、シャッター制御盤（図示しない）の前面や下面等、又はシャッター近傍の壁面などに設けられるものである。なお、遠隔被指示器２０の設置位置は特に限定されない。
【００２３】
以下では、まず、遠隔指示器１０の内部構成を図１を参照して説明する。図１に示すように、遠隔指示器１０は、ＧＰＳ受信機１１、ＧＰＳ制御部１２、制御部１３、送信部１４、アンテナ１５、電源１６、動作状態出力部１７、ＧＰＳ操作部１８、を少なくとも有する。
【００２４】
電源部１６は、当該遠隔指示器１０の各部に対する動作電圧を供給するものである。本実施形態では、電源部１６は、車両のエンジン始動で供給される電源（例えばＤＣ１２Ｖ又はＤＣ２４Ｖ）の入力部を想定する。
【００２５】
ＧＰＳ受信機１１は、ＧＰＳ衛星から常時又は定期的に送信されてくる電波を捕捉し、その捕捉電波を所定の復調方式で復調し、その復調信号をＧＰＳ制御部１２に与えるものである。なお、ＧＰＳ受信機１１の機能は、既存する技術を適用することができる。
【００２６】
ＧＰＳ制御部１２は、ＧＰＳ機能を制御するものであり、ＧＰＳ受信機１１が受信した信号に基づいてＧＰＳ情報（緯度経度情報）を取得するものである。また、ＧＰＳ制御部１２は、利用者操作によるＧＰＳ操作部１８より、指定されたシャッター位置（これをスタート位置ともいい、１又は複数指定する。例えば自宅と外出先を該当位置として指定されるものでもよい）の緯度経路情報を所定の地図情報から割り出し、そのシャッター位置の緯度経度情報を制御部１３に与えるものである。また、ＧＰＳ制御部１２は、例えば、マイクロコンピュータなどで構成されている。
【００２７】
ＧＰＳ操作部１８は、利用者により操作される操作部である。ＧＰＳ操作部１８は、例えば、ＧＰＳ制御部１２の制御の下、タッチパネル形式によるものや、リモコン操作によるものなど、種々の形態を取ることができる。
【００２８】
なお、ＧＰＳ受信機１１、ＧＰＳ制御部１２及びＧＰＳ操作部１８は、既存するＧＰＳを利用したナビゲーションシステムを適用するようにしてもよい。
【００２９】
制御部１３は、当該遠隔指示器１０の全体の機能を制御するものであり、例えば、マイクロコンピュータ等で構成されている。本実施形態の制御部１３は、ＧＰＳ制御部１２から取得したＧＰＳ情報に基づいて、開動作又は閉動作を指示する信号の送信制御を行なう。これにより、利用者によるリモコン操作がない場合でも開動作や閉動作等の指示信号を自動送信することができる。
【００３０】
制御部１３は、ＧＰＳ制御部１２から取得したシャッター位置をスタート位置として記録するものである。
【００３１】
制御部１３は、ＧＰＳ制御部１２から取得したＧＰＳ情報とシャッター位置とに基づいて、現在位置からシャッター位置までの距離が予め設定された距離Ａ以内であるかが判断される。そして、シャッター位置が現在位置から距離Ａ以内であると判断した場合、制御部１３は、シャッターの開動作を指示するための原送信信号を組み立てて、この開動作を示す原送信信号を送信部１４から送信させるものである。
【００３２】
なお、シャッター位置が現在位置から距離Ａ以内であると判断しない場合、制御部１３は、シャッターの開動作を示す原送信信号を送信しない。
【００３３】
ここで、本実施形態では、制御部１３が、車両位置とシャッター位置との２点間距離に基づいて判定するものとする。具体的には、制御部１３は、当該車両の位置情報を中心とし、半径Ａ以内のエリアに、シャッターが存在するか否かにより判定する。
【００３４】
また、制御部１３は、現在位置からシャッター位置までの距離が距離Ａを越えたと判断すると、シャッターの閉動作を指示するための原送信信号を組み立てて、この閉動作を示す原送信信号を送信部１４から送信させるものである。このときも上記と同様の判断方法により判定する。
【００３５】
なお、現在位置からシャッター位置までの距離がＡを超えたと判断しない場合、制御部１３は、シャッターの閉動作を示す原送信信号を送信しない。
【００３６】
さらに、制御部１３は、現在位置からシャッター位置までの距離が距離Ｂ以上になることを検出すると、閉動作を指示するための原送信信号の送信制御も停止させ、待機状態になる。このときも上記と同様の判断方法により判定する。
【００３７】
なお、本実施形態では、車両位置を中心とした距離Ａ又はＢ内のエリアにシャッター位置が存在するか否かにより判断することとするが、これ以外の方法により判断してもよい。
【００３８】
例えば、予め用意しておいた地図情報を用いて、その地図上の道路経路を考慮した道路経路距離に基づいて判断してもよい。この地図上の道路経路距離を求める場合、例えばカーナビゲーションシステムに利用される地図情報を搭載したＧＰＳ制御部１２がその道路経路距離を求め、ＧＰＳ制御部１２で求められた距離を制御部１３が取得する。そして、その距離と、距離Ａ又は距離Ｂとを比較することにより判定するようにしてもよい。
【００３９】
また、制御部１３に予め設定されている距離Ａは距離Ｂよりも短いものとする。これにより、現在位置がシャッター位置から距離Ａ以内のエリアにおいては、シャッター状態を開とすることができるので、当該車両のシャッター通過を可能とすることができ、現在位置がシャッター位置から距離Ａ以内のエリアを外れると、シャッターを閉鎖させることができる。さらに、現在位置がシャッター位置から距離Ｂ以内のエリアを外れると、シャッターを閉鎖させることができると共に、無駄な電波放射をしないようにすることができる。また、距離Ａ及び距離Ｂは共に、送信部１４からアンテナ１５を介して送信された電波の到達距離以内のものである。さらに、距離Ａは、シャッターの動作速度の関係で、全閉から全開になるまでの時間を考慮して調整された距離であることが望ましい。また、距離Ａ、距離Ｂは、車両の移動速度によって随時変化する可変の距離であってもよい。
【００４０】
図２は、制御部１３が組み立てる原送信信号のデータフォーマット例を説明する説明図である。図２に示すように、本実施形態の原送信信号のデータフォーマットは、原送信信号の先頭を示す「フラグＦ」、遠隔指示器１０を識別するための識別コードを含む「識別コード部ＩＤ」、開動作又は閉動作を指示する情報を含む「情報部ＩＮＦ」とを有する。なお、制御部１３には、予め割り当てられた遠隔指示器１０の識別コードが登録されているものとする。
【００４１】
また、制御部１３は、原送信信号を送信させる際、所定周期毎に原送信信号を繰り返し送信部１４に与えて、送信させるようにする。
【００４２】
送信部１４は、制御部１３から原送信信号を受け取ると、その原送信信号に基づいて所定の変調処理を行ない、変調した無線周波数帯の信号をアンテナ１５を介して空間に放射させるものである。ここで、送信部１４による変調方式は、特に限定されないが、例えば、ＡＳＫ変調方式やＦＳＫ変調方式などを適用することができる。また、送信部１４は、必要に応じて、バンドパスフィルタや電力増幅器が内蔵されている。
【００４３】
動作状態出力部１７は、制御部１３が原送信信号の送信制御の実行時に、送信状態であることを出力するものである。これにより、利用者に対して、送信動作状態であることを知らせることができる。動作状態出力部１７は、開動作指示時及び又は閉動作指示時を示すことができるものであれば広く適用することができ、例えば、発光素子や、音声及び又は音響出力装置や、又はこれらを結合したものがある。
【００４４】
アンテナ１５は、送信部１４において変調された原送信信号を放射するものである。アンテナ１５は、遠隔指示器１０を構成する筐体内部に設けられていてもよいし、筐体外部に突出する形式（例えば、携帯電話のアンテナと同様な形式で）で設けられていても良い。
【００４５】
続いて、遠隔開閉被指示部２０の内部構成を図１を参照しながら説明する。図１に示すように、本実施形態の遠隔被指示器２０は、制御部２１、受信部２２、登録部２３、ＩＤメモリ、アンテナ２５、を少なくとも有する。
【００４６】
アンテナ２５は、遠隔指示器１０から放射された電波を捕捉し、その捕捉電波を電気信号（無線受信信号）に変換して、受信部２２に与えるものである。アンテナ２５は、遠隔指示器１０が種々の位置をとり得るので、受信感度を考慮し、例えば、外部に突出する形式で設けられていることが好ましい。また、アンテナ２５としては、遠隔指示器１０が種々の位置をとり得るので、例えば、無指向性又は指向範囲がかなり広いものを適用する。
【００４７】
受信部２２は、アンテナ２５から与えられた無線受信信号に対して所定の復調処理を行ない、その復調信号を制御部２１に与えるものである。ここで、復調信号は、何らかの異常が生じてなければ、遠隔指示器１０が送信した原送信信号に相当するものである。なお、受信部２２は、必要に応じて、無線周波数帯を通過帯域とするバンドパスフィルタや前置増幅器や復調信号の帯域を通過帯域とするローパスフィルタが含まれる。また、受信部２２の受信感度によって（すなわち、受信部２３が動作し得る電界強度によって）、交信可能な遠隔指示器１０との距離や範囲が定まる。
【００４８】
制御部２１は、当該遠隔被指示器２０の各部の制御を行なうものであり、例えば、マイクロコンピュータで構成されている。ここで、図１では、制御部２１が、遠隔操作に係る制御だけでなく、シャッター駆動部３０に対する駆動制御を行なうものとして記載している。
【００４９】
なお、遠隔操作に係る制御を行なう制御部と、シャッター駆動部３０に対する駆動制御を行なう制御部とが、分離して設けられていても良い。例えば、シャッター駆動部３０に対する駆動制御を行なう制御部が、遠隔被指示器２０とは別体のユニットに設けられていても良い。
【００５０】
制御部２１は、後述する登録部２３が、当該遠隔被指示器２０に対し、指示し得る遠隔指示器１０の識別コードの登録を指示したときには、その識別コードを取り込んでＩＤメモリ２４に格納させる。
【００５１】
また、制御部２１は、受信部２２からの復調信号を解読して、送信元の遠隔指示器１０が当該シャッターに対する指示を出せるものであるか確認をした後、指示されているシャッターの動作内容、すなわち、シャッターの開動作、閉動作を認識すると共に、その認識内容（開動作、閉動作）に基づいて、シャッターの開動作、閉動作を実行させる開閉制御信号を形成し、シャッター駆動部３０に与える。
【００５２】
なお、制御部２１は、送信元の遠隔指示器１０が当該シャッターに対する指示を出す送信元として許可されていない場合や、遠隔指示器１０からの指示内容が現状のシャッター状態と矛盾する場合には（例えば、シャッターの開状態において開動作が指示されたような場合には）、その指示内容を無効とするか無視する。
【００５３】
シャッター駆動部３０はシャッターを上下動させるためのモータを中心に構成されているものであり、制御部２１からの開閉制御信号に応じて、モータに対して所望の動作（正回転、逆回転など）を実行させ、シャッターを開動作、閉動作、停止動作させる。また、シャッター駆動部３０は、シャッターの位置やモータの回転速度などの情報を制御部２１に与える。
【００５４】
登録部２３は、当該遠隔被指示器２０に対して、シャッター動作の指示を発効し得る遠隔指示器１０の識別コードを登録する処理（削除を含む）を行なうものであり、その登録方法は既存のいずれの方法であっても良い。なお、登録数は１個に限定しても良く、２個以上の登録を認めるものであっても良い。
【００５５】
ＩＤメモリ２４は、登録された識別コードを記憶しているものである。例えば、ＥＥＰＲＯＭなどの不揮発性メモリが好ましい。
【００５６】
（Ａ−２）第１の実施形態の動作
以下、第１の実施形態のリモコンシステム１における遠隔指示器１０における自動送信処理の動作を説明する。
【００５７】
図３は、遠隔指示器１０における自動送信処理を示すフローチャートである。
【００５８】
まず、利用者は車両のエンジンをかけると、車両内の電源電圧が遠隔指示器１０に供給され、遠隔指示器１０の各構成部が起動する。また、その後、車両が走行中である場合にも、同様に車両内の電源電圧が遠隔指示器１０に供給されているので、遠隔指示器１０の各構成部は作動している。
【００５９】
ＧＰＳ受信機１１は、ＧＰＳ制御部１２の制御の下、周期的にＧＰＳ衛星から放射された電波信号を捕捉し、随時当該車両位置を示すＧＰＳ情報（緯度経度情報）を得る。そして、ＧＰＳ受信機１１により受信されたＧＰＳ情報は、ＧＰＳ制御部１２を介して、制御部１３に与えられる（Ｆ１０１）。
【００６０】
ＧＰＳ情報が制御部１３に与えられると、制御部１３において、ＧＰＳ情報に基づく現在位置の緯度経度情報と予め登録されているシャッター位置とに基づいて、現在位置からシャッター位置までの距離が求められる。そして、制御部１３は、その現在位置からシャッター位置までの距離が、予め設定されている距離Ａ以内であるか判断する（Ｆ１０２）。
【００６１】
このとき、現在位置からシャッター位置までの距離が距離Ａを越えている場合、当該車両はシャッター位置から離れた位置（すなわち、シャッターを作動させる必要性がない位置）にあると判断し、制御部１３はシャッター動作を指示する信号の送信制御を行なわない待機状態とする（Ｆ１０３）。
【００６２】
一方、現在位置からシャッター位置までの距離が距離Ａ以内である場合、当該車両がシャッター位置の近くにあり、制御部１３は、当該遠隔指示器１０に割り当てられた識別コードとシャッターを開動作させる指示情報とを含む原送信信号（図２参照）を組み立てて（Ｆ１０４）、その原送信信号を送信部１４に与える。そして、送信部１４が変調処理を行ない空間に放射する（Ｆ１０５）。
【００６３】
これにより、シャッター側の遠隔被指示器２０に対して、シャッターを開動作させることを指示することができる。
【００６４】
このとき、制御部１３は、現在位置からシャッターまでの距離が距離Ａ以内にある期間、一定時間毎に、シャッターを開動作させる指示情報を含む原送信信号を繰り返し送信させるようにする（Ｆ１０６）。
【００６５】
また、現在位置からシャッター位置までの距離が距離Ａ以内にあり、シャッターを開動作させようとする状態においては、制御部１３は、動作状態出力部１７を制御し、シャッターを開動作指示していることを示す出力をさせる。これにより、シャッターの開動作状態を指示していることを利用者に知らせることができる。
【００６６】
その後、現在位置からシャッター位置までの距離が距離Ａを越えたと制御部１３が判断すると（Ｆ１０６）、制御部１３は、当該遠隔指示器１０に割り当てられた識別コードとシャッターを閉動作させることを指示する指示情報とを含む原送信信号（図２参照）を組み立て（Ｆ１０７）、その原送信信号を送信部１４に与える。そして、送信部１４が変調処理を行ない空間に放射する（Ｆ１０８）。
【００６７】
このとき、制御部１３は、現在位置からシャッター位置までの距離が距離Ｂ以内であるか否かを判断しており、距離Ｂ以内である期間、一定時間毎に、シャッターを閉動作させる指示情報を含む原送信信号を繰り返し送信させるようにする（Ｆ１０９）。
【００６８】
そして、現在位置からシャッター位置までの距離が距離Ｂを越えたと制御部１３が判断すると、制御部１３は、当該閉動作を指示する原送信信号の送信制御を停止し、本実施形態の送信信号の自動送信処理を待機状態とする（Ｆ１０３）。
【００６９】
以上のようにして、遠隔指示器１０は、ＧＰＳ受信機１１が受信した当該車両の位置情報とシャッター位置との関係に基づいて、所定の距離Ａ以内にシャッター位置があるときに、自動的にシャッターを開動作させる原送信信号を送信させるようにすることができる。これにより、利用者がシャッター動作を操作することなく、シャッターを開状態にすることができる。
【００７０】
また、遠隔指示器１０は、シャッター位置との距離が一旦距離Ａ以内になり、開動作指示の原送信信号を送信した後、その距離が距離Ａ以上になったときには、閉動作指示の原送信信号を送信させるようにすることができる。これにより、シャッター通過後に、シャッターを閉動作させることができる。
【００７１】
続いて、本実施形態の遠隔被指示器２０における動作について図面を参照して説明する。図４は、遠隔被指示器２０における動作を示すフローチャートである。
【００７２】
遠隔被指示器２０においては、遠隔指示器１０から放射された電波の待ち状態となっており、放射電波が到来してくると、アンテナ２５が電波を捕捉し、受信部２２が復調処理を行なう。そして、受信部２２により復調された復調信号（ここでは、原送信信号に復元されているものとする）が、制御部２１に与えられる。
【００７３】
制御部２１に原送信信号が与えられると、制御部２１は、その原送信信号の「識別コード部ＩＤ」に含まれている識別コードが、ＩＤメモリ２４に登録されている識別コードＩＤと一致するか否かを判断する（Ｆ２０１）。
【００７４】
ここで、ＩＤメモリ２４に登録される識別コードは、シャッター動作を指示することが許可されている遠隔指示器１０に割り当てられたものであり、１台の遠隔指示器１０に対する識別コードだけでなく、複数台の遠隔指示器１０に対する複数の識別コードの登録があってもよい。
【００７５】
なお、受信した原送信信号の「識別コード部ＩＤ」に含まれる識別コードが登録されているものと不一致する場合、制御部２１は、当該原送信信号を廃棄し、処理を終了する。
【００７６】
受信した原送信信号の「識別コード部ＩＤ」に含まれる識別コードが登録されているものと一致する場合、制御部２１は、当該原送信信号の情報部ＩＮＦに含まれている情報内容を判断する（Ｆ２０２）。
【００７７】
すなわち、情報部ＩＮＦに含まれている情報が開動作を指示する情報である場合、制御部２１は、シャッター駆動部３０に通知するための開信号（開動作を指示する制御信号）を形成し（Ｆ２０３）、その開信号をシャッター駆動部３０に通知する（Ｆ２０５）。
【００７８】
また、情報部ＩＮＦに含まれている情報が閉動作を指示する情報である場合、制御部２１は、シャッター駆動部３０に通知するための閉信号（閉動作を指示する制御信号）を形成し（Ｆ２０４）、その閉信号をシャッター駆動部３０に通知する（Ｆ２０５）。
【００７９】
（Ａ−３）第１の実施形態の効果
以上のように、第１の実施形態のリモコンシステム１によれば、遠隔指示器１０にＧＰＳ機能を設け、車両の位置情報とシャッター位置情報とに基づく両者の距離が所定距離以内になったときに、シャッターを開動作させる信号を自動的に送信させることができる。
【００８０】
その結果、利用者にとっては、シャッター動作の操作指示をさせることなく、車両がシャッターに近づいてきたときに自動的にシャッターが開き、シャッター開口部を通過することができる。
【００８１】
また、第１の実施形態のリモコンシステム１によれば、一旦開動作指示の信号を放射させた遠隔指示器１０が、車両の位置情報とシャッター位置情報とに基づく両者の距離が所定距離以上になったときに、シャッターを閉動作させる信号を自動的に送信させることができる。
【００８２】
その結果、利用者にとっては、シャッター開口部通過後、車両がシャッターから離れたときに自動的にシャッターを閉状態にさせることができる。
【００８３】
（Ｂ）第２の実施形態
次に、本発明のリモコンシステム、遠隔指示器及び遠隔被指示器の第２の実施形態を、図面を参照して説明する。
【００８４】
本実施形態も第１の実施形態と同様に、シャッター用のリモコンシステムに適用した場合を説明するが、本実施形態は、遠隔被指示器が、複数のシャッターの開閉動作を制御する場合を想定して説明する。
【００８５】
本実施形態は、遠隔被指示器が、遠隔指示器からの原送信信号に含まれている車両の位置情報に基づいて、車両がシャッターに向かってくる方角を認識する。その方角に応じたシャッターに対して遠隔被指示器が開閉制御する点に特徴がある。
【００８６】
（Ｂ−１）第２の実施形態の構成
図５は、本実施形態のリモコンシステムの構成例を、上空から地面に向けて見下ろしたときのイメージ図である。なお、第２の実施形態の全体構成は、第１の実施形態で説明した構成に対応するので、以下では、図１で示した構成要素及びそれに付与した符号を用いて説明する。
【００８７】
図５に示すように、本実施形態のリモコンシステム２において、遠隔被指示器２０は、３台のシャッター駆動部３０−１〜３０−３と接続し、３基のガレージ用のシャッター４０−１〜４０−３の開閉動作を制御するものである。
【００８８】
また、図５において、各シャッター４０−１〜４０−３は、３方向に伸びる道路に面しているものとし、図５の図面上方向が北方向を指すとき、遠隔被指示器２０を中心に、西方向に伸びる道路を道路イ、東方向に伸びる道路を道路ロ、南方向に伸びる道路を道路ハとする。
【００８９】
また、図５において、車両５０−１は道路イの方向からシャッターに近づいてきた場合の車両を示し、車両５０−２は道路ロの方向からシャッターに近づいてきた場合の車両を示し、車両５０−３は道路ハの方向からシャッターに近づいてきた場合の車両を示す。なお、車両５０−１〜５０−３は、遠隔指示器１０を搭載しており、遠隔指示器１０の識別コードは遠隔被指示器２０に登録されているものとする。
【００９０】
遠隔指示器１０は、第１の実施形態と同様に、ＧＰＳ機能により取得したＧＰＳ情報を利用して、シャッター動作を指示する原送信信号を自動的に送信するものである。本実施形態の遠隔指示器１０の内部構成は図１で説明した構成要素に対応する。
【００９１】
また、本実施形態の遠隔指示器１０は、送信する原送信信号の情報部ＩＮＦに車両位置情報を付与する。この原送信信号の形成は、第１の実施形態と同様に制御部１３が行なう。
【００９２】
遠隔指示器１０の制御部１３は、ＧＰＳ制御部１２からＧＰＳ情報を受け取り、その位置情報（緯度経度情報）を情報部ＩＮＦ（図２参照）に付与して、原送信信号を組み立てて、送信部１４に送信させるものである。
【００９３】
なお、原送信信号の送信タイミングは、第１の実施形態と同様に、車両位置とシャッター位置との距離と、距離Ａ又は距離Ｂとに基づいて行なう。
【００９４】
遠隔被指示器２０は、第１の実施形態と同様に、遠隔指示器１０からの原送信信号に含まれているシャッター動作指示情報に基づいて、開閉制御信号を形成し、シャッター駆動部３０に通知するものである。本実施形態の遠隔被指示器２０の内部構成は図１で説明した構成要素に対応する。
【００９５】
また、遠隔被指示器２０は、受信した原送信信号の情報部ＩＮＦに含まれている車両の位置情報に基づいて、車両が当該シャッターに向かってくる方角を認識し、その方角に応じたシャッター４０−１〜４０−３を駆動制御するシャッター駆動部３０−１〜３０−３に対して、開閉制御信号を通知する。
【００９６】
遠隔被指示器２０の制御部２１は、当該遠隔被指示器２０の位置情報を予め記録してある。この遠隔被指示器２０の位置情報は、例えば、緯度経路情報等が該当する。
【００９７】
制御部２１は、受信した原送信信号の情報部ＩＮＦに付与されている車両の位置情報を取り出すと、当該遠隔被指示器２０の位置を中心として、車両がどの方角に位置しているかを認識する。そして、制御部２１は、車両位置の方角に応じたシャッター駆動部３０−１〜３０−３に対して開閉制御信号を通知する。これにより、車両が向かってくる方角に応じて、車両が通過し易いシャッター４０−１〜４０−３の自動開閉をさせることができる。
【００９８】
なお、受信した原送信信号の情報部ＩＮＦに含まれている車両の位置情報が、シャッター駆動部３０−１〜３０−３に対する開閉制御信号の通知に対応しない方角の位置情報である場合は、制御部２１は、遠隔被指示器２０が受信した原送信信号の情報部ＩＮＦに含まれる指示内容を無効とするか無視する。
【００９９】
（Ｂ−２）第２の実施形態の動作
次に、第２の実施形態のリモコンシステム２における遠隔被指示器２０の動作について図６を参照して説明する。なお、遠隔指示器１０における動作は、原送信信号に含ませる情報が異なるのみであるので、ここでの遠隔指示器１０の動作説明は省略する。
【０１００】
図６において、遠隔被指示器２０の制御部２１に原送信信号が与えられると、制御部２１は、その原送信信号の「識別コード部ＩＤ」に含まれている識別コードが、ＩＤメモリ２４に登録されている識別コードと一致するか否かを判断する（Ｆ３０１）。なお、受信した原送信信号の「識別コード部ＩＤ」に含まれる識別コードが登録されているものと不一致する場合、制御部２１は、当該原送信信号を廃棄し、処理を終了する。
【０１０１】
受信した原送信信号の「識別コード部ＩＤ」に含まれる識別コードが登録されているものと一致する場合、制御部２１は、当該原送信信号の情報部ＩＮＦに含まれている情報内容を判断する（Ｆ３０２）。
【０１０２】
このとき、情報部ＩＮＦに含まれている情報が開動作を指示する情報である場合、制御部２１は、シャッター駆動部３０に通知するための開信号（開動作を指示する制御信号）を形成する（Ｆ３０３）。
【０１０３】
また、制御部２１は、情報部ＩＮＦに含まれている車両の位置情報を取得すると（Ｆ３０４）、車両の位置情報と当該遠隔被指示器２０の位置情報とを比較し、当該遠隔被開閉指示部２０の位置を中心としたときに、車両がどの方角に位置しているかを認識する（Ｆ３０５）。
【０１０４】
そして、制御部２１が車両位置の方角を認識すると、その認識結果に基づいて開閉制御の対象とするシャッター駆動部３０−１〜３０−３を決定し（Ｆ３０６）、決定した制御対象シャッターを記録する（Ｆ３０７）。
【０１０５】
ここで、制御部２１による制御対象シャッターの決定方法は、種々の方法が考えられるが、例えば、車両位置の方角に応じて制御対象とするシャッター４０−１〜４０−３を予め決めておいた規則を制御部２１が記憶しておき、当該車両位置の方角に基づいて制御対象シャッターを決定する方法がある。
【０１０６】
例えば、車両位置が西方向にあるときシャッター４０−１を制御し、南方向にあるときシャッター４０−２を制御し、東方向にあるときシャッター４０−３を制御するという規則が、制御部２１に記憶されているとする。
【０１０７】
この場合、例えば、道路イを通ってシャッターに向かってくる車両５０−１に搭載の遠隔指示器１０が、開動作を指示する原送信信号を自動送信してくると、制御部２１は、車両位置情報に基づいて当該車両位置を西方向と認識する。そして、制御部２１は、当該車両位置が西方向であるから、予め記憶している規則に基づいて、制御対象シャッターをシャッター４０−１と決定する。
【０１０８】
同様に、例えば、道路ロから向かってきた車両５０−２の遠隔指示器１０から開動作指示の原送信信号が与えられたとき、当該車両位置が東方向であるから、予め記憶している規則に基づいて、制御対象シャッターをシャッター４０−３と決定し、また例えば、道路ハから向かってきた車両５０−３の遠隔指示器１０から開動作指示の原送信信号が与えられたとき、当該車両位置が南方向であるから、予め記憶している規則に基づいて、制御対象シャッターをシャッター４０−２と決定する。
【０１０９】
制御部２１において、車両位置の方角に基づいて制御対象のシャッターが決定すると、制御部２１は、その制御対象シャッターを駆動制御するシャッター駆動部３０−１〜３０−３に対して開信号を通知する（Ｆ３０８）。
【０１１０】
一方、Ｆ３０２において、情報ＩＮＦに含まれている情報が閉動作を指示する情報である場合、制御部２１は、シャッター駆動部３０に通知するための閉信号（閉動作を指示する制御信号）を形成する（Ｆ３０９）。
【０１１１】
そして、制御部２１は、Ｆ３０７において記憶している制御対象シャッターを確認し（Ｆ３１０）、その制御対象シャッターを駆動制御するシャッター駆動部３０−１〜３０−３に対して閉信号を通知する（Ｆ３０８）。
【０１１２】
（Ｂ−３）第２の実施形態の効果
以上のように、本実施形態によれば、第１の実施形態と同様の効果を得ることができる。
【０１１３】
また、本実施形態によれば、複数のシャッターの開閉制御を行なう遠隔被指示器２０が、原送信信号に含まれる車両位置情報に基づいて、車両位置の方角を認識し、その車両位置の方角に応じて制御するシャッターを決定することにより、シャッターが複数あるときに、車両が通過し易いシャッターの動作を制御することができる。その結果、より快適なシステムを利用者に提供できる。
【０１１４】
（Ｃ）第３の実施形態
次に、本発明のリモコンシステム、遠隔指示器及び遠隔被指示器の第３の実施形態を、図面を参照して説明する。
【０１１５】
本実施形態も第１の実施形態と同様に、シャッター用のリモコンシステムに適用した場合を説明するが、本実施形態は、遠隔被指示器が、複数のシャッター装置の開閉動作を制御する場合を想定して説明する。
【０１１６】
本実施形態は、遠隔指示器が、ＧＰＳ機能により取得した車両の現在の位置情報から、開閉制御を指示するシャッター装置を決定し、その決定したシャッター装置に接続する遠隔指示器に対して開閉制御の指示を送信する点に特徴がある。
【０１１７】
（Ｃ−１）第３の実施形態の構成
図７は、本実施形態のリモコンシステムの構成例を、上空から地面に向けて見下ろしたときのイメージ図である。
【０１１８】
図７に示す第３の実施形態のリモコンシステム３の構成は、遠隔被指示器２０を複数（図７では３個）備え、それぞれの遠隔被指示器２０−１〜２０−３が複数（図７では３台）のシャッター駆動部３０−１〜３０−３のそれぞれに接続している点が、図５に示す第２の実施形態のリモコンシステム２の構成と異なる。それ以外の構成は、第１及び第２の実施形態で説明した構成と対応するので、第１及び第２の実施形態で対応する構成要素についての詳細説明は省略する。
【０１１９】
すなわち、図５７示すように、本実施形態のリモコンシステム３は、３台のシャッター駆動部３０−１〜３０−３と、これらシャッター駆動部３０−１〜３０−３に接続する３個の遠隔被指示器２０−１〜２０−３とを備え、３基のガレージ用のシャッター４０−１〜４０−３の開閉動作を制御するものである。
【０１２０】
なお、図７におけるガレージや道路イ〜道路ハの立地環境や車両５０−１〜５０−３の走行環境は、図５に示す第２の実施形態と同様であるので、ここでの説明は省略する。
【０１２１】
遠隔指示器１０は、第１の実施形態と同様に、ＧＰＳ機能によりＧＰＳ情報を取得し、そのＧＰＳ情報に基づいて、現在の車両の位置情報を認識することができるものである。
【０１２２】
また、遠隔指示器１０は、シャッター装置４０−１〜４０−３を中心として所定の距離内に車両が位置している場合に、当該車両が位置する方角エリアに対応し、選択する複数の識別コードを記憶しているものである。
【０１２３】
すなわち、遠隔指示器１０は、ＧＰＳ機能により現在の車両の位置情報を認識すると、その車両の位置情報に基づいて当該車両がシャッター装置４０−１〜４０−３から見てどの方角エリアに位置しているかを認識し、その方角エリアに対応する識別コードを選択し、その選択した識別コードを識別コード部ＩＤに乗せた原送信信号を送信するものである。方角エリアは、ＧＰＳ地図情報に基づき、予め区別されて設定されている。
【０１２４】
これにより、遠隔指示器１０側が選択した識別コードが登録されている遠隔被指示器２０に対して原送信信号を送信することができ、車両が現在位置している方角エリアに応じた遠隔被指示器２０が、接続しているシャッター装置４０の開閉制御を行なうことができる。
【０１２５】
なお、各方角エリアは、この識別コードは、全ての車両に設置されている遠隔指示器１０毎の固有のものであっても、共通のものであってもよい。それぞれの方角エリアに対応する遠隔指示器１０の識別コードは、ＧＰＳ機能に基づく地図情報より予め設定されるものが好ましい。さらに、図７に示すように複数のシャッター装置４０−１〜４０−３を備える場合、その方角を決定する基準位置（中心位置）は、例えば、３基のシャッター装置４０−１〜４０−３のうち、真ん中に位置するシャッター装置４０−２の位置の位置情報として設定することが望ましい。
【０１２６】
なお、遠隔指示器１０による原送信信号の形成方式は、第１及び第２の実施形態で説明した方式と同様であるので、詳細な説明は省略する。
【０１２７】
遠隔被指示器２０−１〜２０−３は、遠隔指示器１０が送信した原送信信号を受信すると、その原送信信号に含まれている識別コードを読み出し、その識別コードに基づいて、自遠隔被指示器２０−１〜２０−３が識別コードに対応するものであるか否かを判断し、自遠隔被指示器２０−１〜２０−３が対応するものであると判定した場合、接続しているシャッター駆動部３０−１〜３０−３に対して開閉制御を行なうものである。また、遠隔被指示器２０−１〜２０−３は、自遠隔被指示器２０−１〜２０−３が対応するものでないと判定した場合、当該原送信信号を無視又は廃棄するものである。
【０１２８】
なお、遠隔被指示器２０−１〜２０−３のそれぞれには、遠隔指示器１０のそれぞれの方角エリアに対応する識別コードが登録されているものとする。
【０１２９】
例えば、図７において、ＧＰＳ機能に基づく地図情報等により、シャッター装置４０を中心としてエリアが分かれており、識別コード「００」は車両の現在位置が西方向エリアにあるときに選択され、識別コード「０１」は車両の現在位置が南方向エリアにあるときに選択され、識別コード「１０」は車両の現在位置が東方向エリアにあるときに選択されるものとする。この場合、遠隔被指示器２０−１には識別コード「００」で遠隔指示器１０を登録し、遠隔被指示器２０−２には識別コード「０１」で遠隔指示器１０を登録し、遠隔被指示器２０−３には識別コード「１０」で遠隔指示器１０を登録するようにする。
【０１３０】
また、必要に応じて、遠隔被指示器２０−１〜２０−３のそれぞれに１つの遠隔指示器１０内の複数の識別コードを登録するようにしてもよい。例えば、上記の例において、遠隔被指示器２０−１に、識別コード「００」と「０１」を登録するようにしてもよい。これにより、車両位置とシャッター位置４０−１〜４０−３の開閉動作との対応の組み合わせを細分化して設定することができる。
【０１３１】
（Ｃ−２）第３の実施形態の動作
図８は、第３の実施形態の遠隔指示器１０における動作を示すフローチャートである。なお、図８では、図３と対応する処理ルーチンについては、図３で示した符号を示している。
【０１３２】
まず、第１の実施形態と同様にして、遠隔指示器１０において、ＧＰＳ受信機１１によりＧＰＳ情報が取得され（Ｆ１０１）、制御部１３によりＧＰＳ情報に基づく現在位置の緯度経度情報と予め登録されているシャッター位置とに基づいて、現在位置からシャッター位置までの距離が求められる。そして、制御部１３は、その現在位置からシャッター位置までの距離が、予め設定されている距離Ａ以内であるか判断する（Ｆ１０２）。
【０１３３】
このとき、遠隔指示器１０において、制御部１３は、当該車両の現在の位置情報が、シャッター装置４０−１〜４０−３を中心としたときのどの方角エリアに位置するものであるかを認識し、その方角エリアに対応する識別コードを選択する（Ｆ２０１）。
【０１３４】
例えば、図７において、ＧＰＳ機能に基づく地図情報等により、シャッター装置４０を中心としてエリアが分かれており、識別コード「００」は現在の車両位置が西方向エリアにあるときに選択され、識別コード「０１」は現在の車両位置が南方向エリアにあるときに選択され、識別コード「１０」は現在の車両位置が東方向エリアにあるときに選択されるものとする。
【０１３５】
この場合、車両位置５０−１においては、ＧＰＳ機能に基づく地図情報により、現在の位置情報が、シャッター装置４０を中心とした場合、西方向エリアに位置していることを認識する。従って、車両５０−１の遠隔指示器１０は、西方向エリアを示す識別コード「００」を選択する。
【０１３６】
同様に、車両５０−２においては、ＧＰＳ機能に基づく地図情報により、現在の位置情報が、シャッター装置４０を中心とした場合、東方向エリアに位置していることを認識するので、車両５０−２の遠隔指示器１０は、東方向エリアを示す識別コード「１０」を選択する。
【０１３７】
また、車両５０−３においては、ＧＰＳ機能に基づく地図情報により、現在の位置情報が、シャッター装置４０を中心とした場合、南方向エリアに位置していることを認識するので、車両５０−３の遠隔指示器１０は、南方向エリアを示す識別コード「０１」を選択する。
【０１３８】
そして、識別コードが選択されると、制御部１３は、この選択した識別コードを含む原送信信号を形成し（Ｓ１０４）、送信部１４が所定の変調処理を行ない空間に放射する（Ｆ１０５）。
【０１３９】
このとき、原送信信号には、第１の実施形態と同様に、シャッター装置４０を開動作させることを指示する指示情報も乗せるものとする。
【０１４０】
また、制御部１３は、車両の現在の位置情報からシャッター装置４０までの距離が距離Ａ以内である期間、一定時間毎に原送信信号を繰り返し送信するようにする（Ｆ１０６）。Ｆ１０４からＦ１０９までの間、Ｆ２０１で選択した識別コードは選択され続けている。
【０１４１】
なお、Ｆ１０７以降の処理ルーチンは、図３と同様であり、第１の実施形態で説明した動作を行なうので、ここでの説明は省略する。
【０１４２】
このようにすることで、遠隔被指示器２０−１〜２０−３においては、遠隔指示器１０が送信した原送信信号を受信すると、その原送信信号に含まれている識別コードに基づいて、自遠隔被指示器２０−１〜２０−３に対するものであるか否かを判断し、識別コードが自遠隔被指示器２０−１〜２０−３を登録されたものである場合に、原送信信号に含まれる指示情報に応じて、接続するシャッター駆動部３０−１〜３０−３に対して開閉動作信号を与え、シャッター装置４０−１〜４０−３を開閉動作させることができる。
【０１４３】
（Ｃ−３）第３の実施形態の効果
以上のように、本実施形態によれば、第１及び第２の実施形態と同様の効果を得ることができる。
【０１４４】
また、本実施形態によれば、複数のシャッターの開閉制御を行なう遠隔被指示器２０が、原送信信号に含まれる車両位置情報に基づいて、車両位置の方角を認識し、その車両位置の方角に応じて制御するシャッターを決定することにより、シャッターが複数あるときに、車両が通過し易いシャッターの動作を制御することができる。その結果、より快適なシステムを利用者に提供できる。
【０１４５】
（Ｄ）他の実施形態
（Ｄ−１）上述した第１及び第２の実施形態では、遠隔指示器１０はリモコン送信機として機能し、遠隔被指示器２０はリモコン受信機として機能するものとして説明したが、遠隔指示器１０及び遠隔被指示器２０は共に、送信機能及び受信機能を有するものとしてもよい。
【０１４６】
このように送受信可能とすることは、遠隔被指示器２０が、自装置の開動作制御又は閉動作制御が可能な状態であるかの情報や、動作の開始・完了の通知情報等を、遠隔指示器１０に対して返信することができ、シャッター側の状態を利用者に認識させることができる。
【０１４７】
（Ｄ−２）上述した第１及び第２の実施形態のリモコンシステム１及び２は、遠隔指示器１０と遠隔被指示器２０との間に中継機を備え、授受される信号を中継できるシステムとしてもよい。
【０１４８】
（Ｄ−３）上述した第１及び第２の実施形態の遠隔被指示器２０は、受信した開動作指示の原送信信号に基づいて開動作を制御した後、シャッターの長時間の開状態をなくすために、シャッターが開状態となってから所定時間後に閉信号をシャッター駆動部３０に通知するようにしてもよい。
【０１４９】
この場合、遠隔被指示器２０は、図９に示すように、開信号を通知後、閉信号を通知するまでの所定時間を計測するタイマ部２６を有する。そして、制御部２１が開信号をシャッター駆動部３０に通知すると、タイマ２６が計時し始め、所定時間経過したときにタイマ２６がその旨を制御部２１に知らせる。これを受けて、制御部２１が、閉信号をシャッター駆動部３０に通知することで実現することができる。
【０１５０】
（Ｄ−４）上述した第２の実施形態では、車両の位置情報をＧＰＳ情報に基づく緯度経度情報としたが、これに限定されず、当該車両の位置を特定する情報であれば、例えば、移動通信システム（例えばＰＨＳ等）で利用される制御信号の授受に基づく位置特定情報や、例えばジャイロなど自律的に特定した位置情報などとしてもよい。
【０１５１】
（Ｄ−５）上述した第２の実施形態では、遠隔被指示器２０が自装置２０を中心としたときの車両位置の方角に基づいて複数のシャッターの動作を制御する場合を説明した。しかし、遠隔指示器１０と遠隔被指示器２０の位置関係を特定することができれば、車両位置の方角に限定しなくても、広く適用できる。
【０１５２】
例えば、図１０において、遠隔被指示器２０が、各シャッターの位置情報（例えば、緯度経度情報）を予め登録しておく。そして、遠隔指示器１０から、車両５０の位置情報（緯度経度情報）を含んだ原送信信号が与えられると、車両と各シャッター４０−１〜４０−３との間の距離のうち最も小さいもの（すなわち、車両５０から最も近いシャッター）に対して開閉動作を制御するようにしても実現できる。
【０１５３】
なお、この車両位置と各シャッター位置との距離の比較処理を、遠隔指示器１０の制御部１３が行なうようにしてもよい。この場合、制御部１３に、各シャッターの位置情報を予め登録しておく必要がある。
【０１５４】
（Ｄ−６）上述した第１及び第２の実施形態において、原送信信号の情報部ＩＮＦに、例えば、車両速度情報、車両と各シャッターとの距離情報、シャッターに到着するまでの予定時間（予定時刻）情報等を付与してもよい。そして、遠隔被指示器２０が、これら情報に基づいて、シャッターの動作速度（すなわち開動作速度及び又は閉動作速度）や、開閉動作のタイミングを調整するようにしてもよい。
【０１５５】
（Ｄ−７）上述した第１及び第２の実施形態の遠隔指示器１０は、利用者操作により、自動送信モードとマニュアルモードとに切り替える動作モード切替手段を有するようにしてもよい。これにより、利用者意思により必要に応じて、開閉動作指示をマニュアルモードにしたり、自動送信モードにしたりすることができる。この場合、これら動作モードを制御する２個の制御部を有し、例えばスイッチにより、接続を切り替えることで実現することができる。
【０１５６】
（Ｄ−８）上記各実施形態では、本発明をシャッターのリモコンシステムに適用したものを示したが、ドア、窓、オーバーヘッドドアなど一般的に開閉体を制御する開閉装置の無線遠隔操作システム（リモコンシステム）に適用するようにしても良い。
【０１５７】
また、上記各実施形態では、無線回線での伝送媒体が電波であるものを示したが、赤外線であっても良い。この場合には、アンテナに代え、光電変換部や電光変換部を適用することとなる。
【０１５８】
さらに、上述した各実施形態では、遠隔指示器１０を車両に搭載した場合を示すが、車両搭載用に限定されず、人が所持するリモコンタイプの開閉指示器であってもよい。
【０１５９】
（Ｄ−９）第２の実施形態では、遠隔被指示器２０が遠隔指示器１０から受け取った車両位置情報を基にシャッター位置に対する車両位置の方角を割り出して制御対象のシャッターの決定を行なうものとして説明したが、遠隔指示器１０がシャッター位置と現在位置との位置関係に基づいて制御対象のシャッターを決定し、制御対象のシャッターを指定する情報を情報部ＩＮＦに含ませて、遠隔被指示器２０に対して原送信信号を送信するようにしてもよい。このとき、遠隔指示器１０は、現在位置がシャッター位置に対する方角毎のどのエリアに含まれているかによって、制御対象のシャッターを決定する。また、遠隔被指示器２０は、情報部ＩＮＦに含まれる制御対象のシャッターを指定する情報に基づいて、制御対象のシャッターを駆動制御するシャッター駆動部３０に対して開閉制御信号を通知する。
【０１６０】
（Ｄ−１０）遠隔指示器１０は、現在位置がシャッター位置から距離Ａ以内の位置で遠隔指示器１０の電源を切る際に、閉動作を示す原送信信号を、開動作を示す原送信信号を送信した遠隔被指示器２０に対して自動的に送信してから電源が切れるようにしてもよい。この場合、例えば、車両を当該シャッターを設けたガレージに駐車させてエンジンを切った際に、略同時に遠隔指示器１０の電源も切れ、シャッターを自動的に閉鎖することができる。
【０１６１】
（Ｄ−１１）遠隔被指示器２０の送信部から送信する原送信信号の方式を通常のリモコン送信機と同一とすることで、遠隔被指示器を通常のリモコン送信機用の受信機と兼ねることができる。
【０１６２】
（Ｄ−１２）図３のＦ１０２の判断内容を、「距離が距離Ａ以内？」に代えて、「距離が距離Ｃ以内？」としてもよい（距離Ｃ＜距離Ａ）。このようにすることによって、距離Ａ付近でシャッター位置を中心とした略円周方向に移動している場合に開動作を示す原送信信号や閉動作を示す原送信信号がチャタリングすることを防ぐことができる。
【０１６３】
（Ｄ−１３）各実施形態では、原送信信号の伝送を遠隔指示器１０から遠隔被指示器２０まで無線により行なうものを示したが、この原送信信号の伝送を電話回線やインタネット回線などを介して行なうようにしてもよく、この場合には、送信部、アンテナに代えて、遠隔指示器１０に接続した携帯電話等を適用することもできる。
【０１６４】
さらに、本発明における遠隔指示器１０の構造および／または機能を携帯電話等に内蔵してもよい。
【０１６５】
（Ｄ−１４）図示しない障害物感知装置や、図示しない操作部によるシャッターを停止させるための停止指令があった場合には、遠隔被指示器が受信した遠隔指示器からの原送信信号に含まれる動作指示情報にかかわらず、シャッターの停止制御を行なうようにしてもよい。
【図面の簡単な説明】
【０１６６】
【図１】第１の実施形態のシステム構成を示すブロック図である。
【図２】第１の実施形態の遠隔指示器及び遠隔被指示器間で授受する信号フォーマットを示す説明図である。
【図３】第１の実施形態の遠隔指示器での自動動作指示に係る処理を示すフローチャートである。
【図４】第１の実施形態の遠隔被指示器の処理を示すフローチャートである。
【図５】第２の実施形態のリモコンシステムの構成を示すイメージ図である。
【図６】第２の実施形態の遠隔被指示器の処理を示すフローチャートである。
【図７】第３の実施形態のリモコンシステムの構成を示すイメージ図である。
【図８】第３の実施形態の遠隔指示器の処理を示すフローチャートである。
【図９】変形実施形態の遠隔被指示器の内部構成例を示すブロック図である。
【図１０】変形実施形態のリモコンシステムの構成を示すイメージ図である。
【符号の説明】
【０１６７】
１、２、３…リモコンシステム、１０…遠隔指示器、１１…ＧＰＳ受信機、１２…ＧＰＳ制御部、１３…制御部、１４…送信部、１５…アンテナ、１６…電源、１７…動作状態出力部、１８…ＧＰＳ操作部、２０…遠隔被指示器、２１…制御部、２２…受信部、２３…登録部、２４…ＩＤメモリ、２５…アンテナ、３０…シャッター駆動部。
【図１】
2007255019.tif 000003
【図２】
2007255019.tif 000004
【図３】
2007255019.tif 000005
【図４】
2007255019.tif 000006
【図５】
2007255019.tif 000007
【図６】
2007255019.tif 000008
【図７】
2007255019.tif 000009
【図８】
2007255019.tif 000010
【図９】
2007255019.tif 000011
【図１０】
2007255019.tif 000012